(57)【要約】【課題】改良したバックルを提供する。【解決手段】バックルは、両側にスロットが設けられ、上部に解除ボタンが設けられるバックル本体と、一側に突出部、他側に第一アーム部と第二アーム部が設けられ、突出部がバックル本体のスロットに押し込まれるとバックル本体と結合し、解除ボタンが押されるとバックル本体からはずされるような一対の腰ベルト雌部と、結合部を備える一対の腰ベルト雄部を含む。第一アーム部には第一突起が設けられ、第二アーム部には第二突起が設けられ、腰ベルト雄部の結合部と腰ベルト雌部が結合するときに脱落を防止する。【選択図】図４
2008173446.tif 000002
【特許請求の範囲】
【請求項１】
バックルであって、
両側にスロットが設けられ、上部に解除ボタンが設けられるバックル本体と、
一側に突出部、他側に第一アーム部と第二アーム部が設けられ、突出部がバックル本体のスロットに押し込まれるとバックル本体と結合し、解除ボタンが押されるとバックル本体からはずされるような一対の腰ベルト雌部と、
結合部を備える一対の腰ベルト雄部を含み、そのうち第一アーム部に第一突起が設けられ、第二アーム部に第二突起が設けられ、腰ベルト雄部の結合部と腰ベルト雌部が結合するときに脱落を防止することを特徴とするバックル。
【請求項２】
前記第一アーム部は第一面を備え、前記第二アーム部は第二面を備え、前記腰ベルト雄部の結合部には第一面と第二面に突き当たるための第三面が設けられることを特徴とする請求項１記載のバックル。
【請求項３】
前記バックルは更に、第一面、第二面、及び第三面の間を通るベルトを備えることを特徴とする請求項２記載のバックル。
【請求項４】
前記腰ベルト雄部は更に、結合部と接続される押圧部を備えることを特徴とする請求項１記載のバックル。
【請求項５】
前記腰ベルト雌部の第一アーム部と第二アーム部の間には、腰ベルト雄部を受け入れるギャップが形成されており、前記第一突起と第二突起は第一アーム部と第二アーム部からギャップへ突き出ていることを特徴とする請求項１記載のバックル。
【請求項６】
前記第一突起と第二突起は斜面を備えることを特徴とする請求項１記載のバックル。
【請求項７】
前記第一アーム部の第一突起と第二アーム部の第二突起は対向するように設けられることを特徴とする請求項１記載のバックル。
【請求項８】
前記第一アーム部は第一面を備え、前記第二アーム部は第二面を備え、前記腰ベルト雄部は第三面と、第三面から突き出ていて第一面、第二面、及び第三面の間を通るベルトを固定するための突起を備えることを特徴とする請求項１記載のバックル。
【請求項９】
前記腰ベルト雄部の結合部には溝が設けられ、前記腰ベルト雌部には溝に突き当たるための弾力材が設けられることを特徴とする請求項１記載のバックル。
【請求項１０】
前記バックルは更に一対の肩ベルト係止部を備え、前記腰ベルト雌部は肩ベルト係止部を介してバックル本体に結合されることによって肩ベルト係止部とともにバックル本体に固定されることを特徴とする請求項１記載のバックル。
【請求項１１】
ベルト固定装置であって、
第一突起を有する第一アーム部と、
第二突起を有し、第一アーム部との間にギャップが形成されている第二アーム部と、
ギャップに押し込んで第一突起と第二突起に結合するための結合部を有する雄部を含むことを特徴とするベルト固定装置。
【請求項１２】
前記雄部は更に、結合部と接続され、結合部が第一突起と第二突起に結合する状態で第一アーム部と第二アーム部から突き出ているような押圧部を備えることを特徴とする請求項１１記載のベルト固定装置。
【請求項１３】
前記第一突起と第二突起は斜面を有する三角形であり、第一突起は第一面を備え、第二突起は第二面を備え、雄部の結合部は、第一突起と第二突起に結合するときに前記第一面と第二面に突き当たるための第三面を備えることを特徴とする請求項１１記載のベルト固定装置。
【請求項１４】
前記ベルト固定装置は更に、第三面から突き出ていて第一面、第二面、及び第三面の間を通るベルトを固定するための突起を備えることを特徴とする請求項１３記載のベルト固定装置。
【請求項１５】
前記第一面、第二面、及び第三面は平面であることを特徴とする請求項１３記載のベルト固定装置。
【請求項１６】
前記第一アーム部の第一突起と第二アーム部の第二突起は対向するように設けられることを特徴とする請求項１１記載のベルト固定装置。
【請求項１７】
前記雄部の結合部には溝が設けられ、前記ベルト固定装置には溝に突き当たるための弾力材が設けられることを特徴とする請求項１１記載のベルト固定装置。
【請求項１８】
バックルであって、
両側にスロットが設けられ、上部に解除ボタンが設けられるバックル本体と、
一対の肩ベルト係止部と、
一側に突出部、他側に第一アーム部と第二アーム部が設けられ、肩ベルト係止部と結合して突出部がバックル本体のスロットに押し込まれることによって肩ベルト係止部とともにバックル本体に固定され、解除ボタンが押されるとバックル本体からはずされるような一対の腰ベルト雌部と、
結合部を備える一対の腰ベルト雄部を含み、そのうち第一アーム部と第二アーム部の１つには、腰ベルト雄部の結合部と腰ベルト雌部が結合するときに脱落を防止するために少なくとも１つの突起が設けられることを特徴とするバックル。
【請求項１９】
前記肩ベルト係止部は更に、腰ベルト雌部の突出部を通過させるためのスロットを備えることを特徴とする請求項１８記載のバックル。
【請求項２０】
前記第一アームと第二アームの突起は斜面と第一面を有する三角形であり、腰ベルト雄部の結合部は、腰ベルト雌部と結合するときに第一面に突き当たるための第二面を備えることを特徴とする請求項１８記載のバックル。
【発明の詳細な説明】
【技術分野】
【０００１】
本発明はバックルに関し、特にベルト調整装置を備えるバックルに関する。
【背景技術】
【０００２】
ベビーカーやチャイルドシートでは、ベルトのバックルは子供の安全を守る重要な部品である。従来のバックルは、肩ベルト、腰ベルト、及び股ベルトがフックや留め具を介してバックル本体に係合するように設計されたものが一般である。
【０００３】
図１と図２を参照する。従来の腰ベルト雄部５は第一アーム部５１と第二アーム部５２を備え、両アーム部には突起５１１が設けられている。腰ベルト雄部５と腰ベルト雌部４が係合するとき、両突起５１１は腰ベルト雌部４の第一アーム部４１と第二アーム部４２に突き当たって、雄部の脱落を防止して結合を強固にする。このようなバックル構造についてはアメリカ特許第5,170,539号を参照する。しかし、このような構造では、腰ベルト雌部４のアーム部４１、４２について厚さの制限が存在する。というのは、コストの節減や、腰ベルト雄部５をうまくはめ入れるようにするためには、腰ベルト雌部４のアーム部４１、４２は十分に薄くしなければならないが、薄すぎると外力により腰ベルト雄部５が脱落したり、腰ベルト雌部４のアーム部４１、４２が破損したりすることも起こりうる。
【発明の開示】
【発明が解決しようとする課題】
【０００４】
本発明は前述の問題を解決するためのバックルを提供することを課題とする。
【課題を解決するための手段】
【０００５】
本発明によるバックルは、両側にスロットが設けられ、上部に解除ボタンが設けられるバックル本体と、一側に突出部、他側に第一アーム部と第二アーム部が設けられ、突出部がバックル本体のスロットに押し込まれるとバックル本体と結合し、解除ボタンが押されるとバックル本体からはずされるような一対の腰ベルト雌部と、結合部を備える一対の腰ベルト雄部を含む。第一アーム部には第一突起が設けられ、第二アーム部には第二突起が設けられ、腰ベルト雄部の結合部と腰ベルト雌部が結合するときに脱落を防止する。
【０００６】
本発明は更にベルト固定装置を提供する。該ベルト固定装置は、第一突起を有する第一アーム部と、第二突起を有し、第一アーム部との間にギャップが形成されている第二アーム部と、ギャップに押し込んで第一突起と第二突起に結合するための結合部を有する雄部を含む。
【０００７】
本発明は更に以下のようなバックルを提供する。該バックルは、両側にスロットが設けられ、上部に解除ボタンが設けられるバックル本体と、一対の肩ベルト係止部と、一側に突出部、他側に第一アーム部と第二アーム部が設けられ、肩ベルト係止部と結合して突出部がバックル本体のスロットに押し込まれることによって肩ベルト係止部とともにバックル本体に固定され、解除ボタンが押されるとバックル本体からはずされるような一対の腰ベルト雌部と、結合部を備える一対の腰ベルト雄部を含む。第一アーム部と第二アーム部の１つには、腰ベルト雄部の結合部と腰ベルト雌部が結合するときに脱落を防止するために少なくとも１つの突起が設けられている。
【発明の効果】
【０００８】
本発明では、腰ベルト雌部の第一アーム部と第二アーム部には腰ベルト雄部と結合するための突起が設けられる。突起の斜面は対向するように設けられるため、腰ベルト雄部はそれを通って第一アーム部と第二アーム部のギャップにはめ込むことができる。突起の反対側の平面は、腰ベルト雄部に突き当たって腰ベルト雌部から脱落しないようにする効果がある。
【発明を実施するための最良の形態】
【０００９】
かかる装置の特徴を詳述するために、具体的な実施例を挙げ、図示を参照して以下に説明する。
【００１０】
図７を参照する。図７は本発明によるバックル１００を示す。バックル１００は主としてゆりかご、子供用いす、チャイルドシート、ベビーカーなど子供の安全を守る座席装置に用いられるが、他種の座席装置にも適用できる。バックル１００は一対の肩ベルト係止部１と、両側にスロット（図示せず）が設けられ、上部に解除ボタン３が設けられるバックル本体２と、一対の腰ベルト雌部７と、一対の腰ベルト雄部８を含む。肩ベルト係止部１と腰ベルト雌部７をバックル本体２にはめ込んだ状態では、肩ベルト係止部１と腰ベルト雌部７を通るベルトは使用者を固定保護することができる。腰ベルト雄部８を押せば、腰ベルト雌部７と腰ベルト雄部８の間を通るベルトをはずし、その長さを調整することができる。本発明では、腰ベルト雌部７を肩ベルト係止部７１とともにバックル本体２にはめることによって子供を座席に固定保護する。
【００１１】
図３と図４を参照する。図３は腰ベルト雌部７と腰ベルト雄部８の係合状態を示し、図４はその断面図である。腰ベルト雌部７は、一側に相互に平行である第一アーム部７１と第二アーム部７２が設けられ、他側に肩ベルト係止部１を通過してバックル本体２のスロット（図示せず）にはめるための突出部７５が設けられる。バックル本体２の解除ボタン３を押しながら腰ベルト雌部７の突出部７５をバックル本体２からはずすと、腰ベルト雌部７ははずされる。図５を参照する。図５は上記腰ベルト雌部７を示し、図６は上記腰ベルト雄部８を示す。腰ベルト雌部７の第一アーム部７１と第二アーム部７２の間にはギャップ７３が形成しており、両アーム部７１、７２には相互に対向する突起７１１、７２１が設けられている。突起７１１はギャップ７３に向かう斜面７１２を有する三角形であり、斜面７１２の反対側には第一面７１３が設けられている。突起７２１はギャップ７３に向かう斜面７２２を有し、斜面７２２の反対側には第二面７１４が設けられている。
【００１２】
図６に示すように、腰ベルト雄部８は押圧部８１と、押圧部８１に接続される結合部８２を備える。腰ベルト雄部８を腰ベルト雌部７にはめ込んだ状態では、押圧部８１は第一アーム部７１と第二アーム部７２から突き出ている。結合部８２の押圧部８１に対向する面には突起８２２が設けられ、その裏側には溝８３が設けられている。結合部８２を腰ベルト雌部７にはめ込んだ状態では、第一アーム部７１と第二アーム部７２に対向する第三面８２１は第一面７１３と第二面７１４に突き当たっている。ここで、第一面７１３、第二面７１４、及び第三面８２１はいずれも平面である。そのほか、結合部８２に巻きついて、第一アーム部７１の第一面７１３と結合部８２の第三面８２１との間、及び第二アーム部７２の第二面７１４と結合部８２の第三面８２１との間を通過するベルト（図示せず）も設けられている。なお、腰ベルト雌部７には、突出部７５から第一アーム部７１と第二アーム部７２の間のギャップ７３へ突き出るような弾力材７４が設けられる。弾力材７４は腰ベルト雄部８の溝８３に突き当たって、ベルトを第一アーム部７１と結合部８２の間、及び第二アーム部７２と結合部８２の間に固定する。一方、第三面８２１の突起８２２はベルトに突き当たって固定効果を更に向上させる。
【００１３】
腰ベルト雌部７と腰ベルト雄部８は、押圧部８１を押しながら腰ベルト雄部８の結合部８２を腰ベルト雌部７のギャップ７３に押し込むことによって結合される。第一アーム部７１と第二アーム部７２の斜面７１２、７２２を通し、結合部８２の第三面８２１は第一面７１３と第二面７１４に突き当たるところまで押し込むことができる。このとき、弾力材７４が腰ベルト雄部８に突き当たって、第三面８２１が第一面７１３と第二面７１４に突き当たっているため、腰ベルト雄部８は腰ベルト雌部７から脱落しない。本発明による腰ベルト雌部７はアーム部７１、７２に突起７１１、７２１が設けられ、腰ベルト雄部８を強く引っ張っても破損しないような十分な厚さを有する。腰ベルト雌部７と腰ベルト雄部８は平面を介して相互に突き当たっていて結合が強固である。
【００１４】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【産業上の利用可能性】
【００１５】
本発明は従来のベルト係止部のアーム部に結合を強固にするための突起を設ける。かかる装置は当然実施可能である。
【図面の簡単な説明】
【００１６】
【図１】従来の腰ベルト雌部と腰ベルト雄部の係合状態を表す説明図である。
【図２】図１に示す腰ベルト雌部と腰ベルト雄部の分離状態を表す説明図である。
【図３】本発明による腰ベルト雌部と腰ベルト雄部の係合状態を表す説明図である。
【図４】図３の断面図である。
【図５】本発明による腰ベルト雌部を表す説明図である。
【図６】本発明による腰ベルト雄部を表す説明図である。
【図７】本発明によるバックルを表す説明図である。
【符号の説明】
【００１７】
１                    肩ベルト係止部
２                    バックル本体
３                    解除ボタン
４、７                腰ベルト雌部
５、８                腰ベルト雄部
４１、５１、７１      第一アーム部
４２、５２、７２      第二アーム部
７３                  ギャップ
７４                  弾力材
７５                  突出部
８１                  押圧部
８２                  結合部
８３                  溝
１００                バックル
５１１、７１１、７２１、８２２  突起
７１２、７２２        斜面
７１３                第一面
７１４                第二面
８２１                第三面
【図１】
2008173446.tif 000003
【図２】
2008173446.tif 000004
【図３】
2008173446.tif 000005
【図４】
2008173446.tif 000006
【図５】
2008173446.tif 000007
【図６】
2008173446.tif 000008
【図７】
2008173446.tif 000009